(57)【要約】【課題】異常箇所を効率的に検出し、信頼性及び保守性を向上させる。【解決手段】無線通信システム１は、複数の無線通信装置１０Ａと、各無線通信装置１０Ａに対応して無線回線２で接続された複数の無線通信装置１０Ｂと、複数の無線通信装置１０Ａに接続され、無線通信装置１０Ａ、１０Ｂ、無線回線２による無線通信の状態を監視する監視制御装置２０とを備え、監視制御装置２０は、所定のタイミング毎に、無線通信装置１０Ａからアラーム／ステータス情報を受信し、所定の無線通信装置１０Ａmから通信異常を示すアラームを受信し、無線通信が異常であると判断した場合に、無線通信装置１０Ａm、１０Ｂm以外のすべての無線通信装置に対して送信停止要求を送信し、送信停止要求を受信したすべての無線通信装置の送信動作が停止した場合に、無線通信装置１０Ａmからのアラームに基づき、無線通信装置１０Ａmに関連する箇所が異常であるか否かを判断する。【選択図】図３
2014011760.tif 000002
【特許請求の範囲】
【請求項１】
自局に設けられた複数の第１の無線通信装置と、該第１の無線通信装置の各々に対応して対向局に設けられ、無線回線で接続された複数の第２の無線通信装置と、前記複数の第１の無線通信装置に接続され、前記第１及び第２の無線通信装置並びに前記無線回線による無線通信の状態を監視する監視制御装置とからなる無線通信システムであって、
前記監視制御装置は、
所定のタイミング毎に、前記第１の無線通信装置から該第１の無線通信装置及び無線回線の状態を示すアラーム／ステータス情報を受信し、
所定の第１の無線通信装置から通信異常を示すアラームを含むアラーム／ステータス情報を受信し、前記所定の第１の無線通信装置による無線通信が異常であると判断した場合に、
前記所定の第１の無線通信装置及び該所定の第１の無線通信装置に接続された第２の無線通信装置以外の第１及び第２の無線通信装置に対して、各種データの送信動作を停止するための送信停止指示及び送信停止時間を含む送信停止要求を送信し、
前記送信停止要求を受信したすべての無線通信装置における送信動作が停止した場合に、前記所定の第１の無線通信装置から受信するアラーム／ステータス情報に含まれるアラームの有無に基づき、前記所定の第１の無線通信装置に関連する箇所が異常であるか否かを判断することを特徴とする無線通信システム。
【請求項２】
前記監視制御装置は、
前記送信停止要求を受信したすべての無線通信装置における送信動作が停止した際に前記所定の第１の無線通信装置から受信する前記アラーム／ステータス情報に前記アラームが含まれる場合に、前記所定の第１の無線通信装置に関連する箇所が異常であると判断し、
前記アラーム／ステータス情報に前記アラームが含まれない場合に、前記所定の第１の無線通信装置以外の無線通信装置に関連する箇所が異常であると判断することを特徴とする請求項１に記載の無線通信システム。
【請求項３】
前記監視制御装置は、
前記所定の第１の無線通信装置以外の無線通信装置に関連する箇所が異常であると判断した場合に、
前記送信停止要求に基づき前記送信動作を停止した無線通信装置における送信動作が再開する毎に、前記所定の第１の無線通信装置から受信するアラーム／ステータス情報に含まれる前記アラームの有無を検出し、
前記アラーム／ステータス情報に前記アラームが含まれる場合に、前記送信動作を再開した無線通信装置に関連する箇所が異常であると判断することを特徴とする請求項２に記載の無線通信システム。
【請求項４】
前記監視制御装置は、各々の前記第１及び第２の無線通信装置において送信動作を再開するタイミングが異なるように、前記送信停止時間を設定することを特徴とする請求項１、２又は３に記載の無線通信システム。
【請求項５】
前記監視制御装置は、前記第１及び第２の無線通信装置における送信動作を停止させる順序に従って、送信停止時間が長くなるように前記送信停止時間を設定することを特徴とする請求項４に記載の無線通信システム。
【請求項６】
自局に設けられた複数の第１の無線通信装置と、該第１の無線通信装置の各々に対応して対向局に設けられ、無線回線で接続された複数の第２の無線通信装置と、前記複数の第１の無線通信装置に接続され、前記第１及び第２の無線通信装置並びに前記無線回線による無線通信の状態を監視する監視制御装置とからなる無線通信システムであって、
前記監視制御装置は、
所定のタイミング毎に、前記第１の無線通信装置から該第１の無線通信装置及び無線回線の状態を示すアラーム／ステータス情報を受信し、
所定の第１の無線通信装置から通信異常を示すアラームを含むアラーム／ステータス情報を受信し、前記所定の第１の無線通信装置による無線通信が異常であると判断した場合に、
前記所定の第１の無線通信装置及び該所定の第１の無線通信装置に接続された第２の無線通信装置以外の、一対の第１及び第２の無線通信装置に対して、各種データの送信動作を停止するための送信停止指示及び送信停止時間を含む送信停止要求を送信し、
前記送信停止要求を受信した前記一対の無線通信装置における送信動作が停止した場合に、前記所定の第１の無線通信装置から受信するアラーム／ステータス情報に含まれるアラームの有無に基づき、異常箇所を判断することを特徴とする無線通信システム。
【請求項７】
前記監視制御装置は、
前記一対の無線通信装置における送信動作が停止した際に前記所定の第１の無線通信装置から受信する前記アラーム／ステータス情報に前記アラームが含まれない場合に、前記一対の無線通信装置に関連する箇所が異常であると判断し、
前記アラーム／ステータス情報に前記アラームが含まれる場合に、前記一対の無線通信装置以外の無線通信装置に関連する箇所が異常であると判断することを特徴とする請求項６に記載の無線通信システム。
【請求項８】
前記監視制御装置は、
前記所定の第１の無線通信装置及び該所定の第１の無線通信装置に接続された第２の無線通信装置以外のすべての無線通信装置における送信動作が停止した際に前記所定の第１の無線通信装置から受信する前記アラーム／ステータス情報に前記アラームが含まれる場合に、前記所定の第１の無線通信装置に関連する箇所が異常であると判断することを特徴とする請求項７に記載の無線通信システム。
【請求項９】
自局に設けられた複数の第１の無線通信装置と、該第１の無線通信装置の各々に対応して対向局に設けられ、無線回線で接続された複数の第２の無線通信装置と、前記複数の第１の無線通信装置に接続され、前記第１及び第２の無線通信装置並びに前記無線回線による無線通信の状態を監視する監視制御装置とからなる無線通信システムの異常検出方法であって、
前記監視制御装置において、
所定のタイミング毎に、前記第１の無線通信装置から該第１の無線通信装置及び無線回線の状態を示すアラーム／ステータス情報を受信し、
所定の第１の無線通信装置から通信異常を示すアラームを含むアラーム／ステータス情報を受信し、前記所定の第１の無線通信装置による無線通信が異常であると判断した場合に、
前記所定の第１の無線通信装置及び該所定の第１の無線通信装置に接続された第２の無線通信装置以外の第１及び第２の無線通信装置に対して、各種データの送信動作を停止するための送信停止指示及び送信停止時間を含む送信停止要求を送信し、
前記送信停止要求を受信したすべての無線通信装置における送信動作が停止した場合に、前記所定の第１の無線通信装置から受信するアラーム／ステータス情報に含まれるアラームの有無に基づき、前記所定の第１の無線通信装置に関連する箇所が異常であるか否かを判断することを特徴とする異常検出方法。
【請求項１０】
自局に設けられた複数の第１の無線通信装置と、該第１の無線通信装置の各々に対応して対向局に設けられ、無線回線で接続された複数の第２の無線通信装置と、前記複数の第１の無線通信装置に接続され、前記第１及び第２の無線通信装置並びに前記無線回線による無線通信の状態を監視する監視制御装置とからなる無線通信システムの異常検出方法であって、
前記監視制御装置において、
所定のタイミング毎に、前記第１の無線通信装置から該第１の無線通信装置及び無線回線の状態を示すアラーム／ステータス情報を受信し、
所定の第１の無線通信装置から通信異常を示すアラームを含むアラーム／ステータス情報を受信し、前記所定の第１の無線通信装置による無線通信が異常であると判断した場合に、
前記所定の第１の無線通信装置及び該所定の第１の無線通信装置に接続された第２の無線通信装置以外の、一対の第１及び第２の無線通信装置に対して、各種データの送信動作を停止するための送信停止指示及び送信停止時間を含む送信停止要求を送信し、
前記送信停止要求を受信した前記一対の無線通信装置における送信動作が停止した場合に、前記所定の第１の無線通信装置から受信するアラーム／ステータス情報に含まれるアラームの有無に基づき、異常箇所を判断することを特徴とする異常検出方法。
【発明の詳細な説明】
【技術分野】
【０００１】
本発明は、複数の無線通信装置と無線通信装置を監視する監視装置とからなる無線通信システム及び異常検出方法に関し、特に、無線通信装置間の通信回線及び無線装置に異常が発生した際の異常箇所を特定するシステム及び方法に関する。
【背景技術】
【０００２】
従来、複数の無線通信装置間で各種データのやりとりを行う無線通信が広く普及している。このような無線通信では、予め設定された送信周波数や受信周波数を用いて無線通信を行うが、異なる無線通信間での混線や、他の無線通信に対する影響により、データのやりとりを正常に行うことができない虞がある。
【０００３】
そこで、最近では、複数の無線通信装置と、これらの無線通信装置を監視する監視装置とからなる無線通信システムが運用され、無線通信装置間の回線や、無線通信装置自体に発生する異常を監視装置が検出することにより、システムの保守・管理が行われている。
【０００４】
一般的に、このような無線通信システムにおいては、無線通信装置及び／又は回線の異常が検出されると、異常が検出された無線通信装置近傍の無線通信装置の動作を監視装置の制御によって停止させる（例えば、特許文献１）。そして、動作が停止された各々の無線通信装置や回線を保守者が順次調査することにより、異常箇所を特定する。
【先行技術文献】
【特許文献】
【０００５】
【特許文献１】特開２００３−１６９３８１号公報
【発明の概要】
【発明が解決しようとする課題】
【０００６】
しかし、上述の方法では、停止する必要のない無線通信装置や回線についても、必要以上に停止させるため、無線通信の品質や信頼性を損なうという問題があった。
【０００７】
また、異常が検出された無線通信装置を含むすべての無線通信装置の動作を停止させた後、正常に動作する無線通信装置を含めて異常箇所を順次調査する必要があるため、作業効率が悪化し、保守性を損なうという問題があった。
【０００８】
そこで、本発明は、上記従来の技術における問題点に鑑みてなされたものであって、異常箇所を効率的に検出し、信頼性及び保守性を向上させることが可能な無線通信システム及び異常検出方法を提供することを目的とする。
【課題を解決するための手段】
【０００９】
上記目的を達成するため、本発明は、自局に設けられた複数の第１の無線通信装置と、該第１の無線通信装置の各々に対応して対向局に設けられ、無線回線で接続された複数の第２の無線通信装置と、前記複数の第１の無線通信装置に接続され、前記第１及び第２の無線通信装置並びに前記無線回線による無線通信の状態を監視する監視制御装置とからなる無線通信システムであって、前記監視制御装置は、所定のタイミング毎に、前記第１の無線通信装置から該第１の無線通信装置及び無線回線の状態を示すアラーム／ステータス情報を受信し、所定の第１の無線通信装置から通信異常を示すアラームを含むアラーム／ステータス情報を受信し、前記所定の第１の無線通信装置による無線通信が異常であると判断した場合に、前記所定の第１の無線通信装置及び該所定の第１の無線通信装置に接続された第２の無線通信装置以外の第１及び第２の無線通信装置に対して、各種データの送信動作を停止するための送信停止指示及び送信停止時間を含む送信停止要求を送信し、前記送信停止要求を受信したすべての無線通信装置における送信動作が停止した場合に、前記所定の第１の無線通信装置から受信するアラーム／ステータス情報に含まれるアラームの有無に基づき、前記所定の第１の無線通信装置に関連する箇所が異常であるか否かを判断することを特徴とする。
【００１０】
そして、本発明によれば、アラームを通知した無線通信装置以外の無線通信装置の送信動作を停止させた段階でのアラームの有無を判断するため、アラームを通知した無線通信装置に関連する箇所が異常であるのか、又は、それ以外の無線通信装置に関連する箇所の異常であるのかを判断することができ、異常箇所を容易に切り分けることができる。
【００１１】
上記無線通信システムにおいて、前記監視制御装置は、前記送信停止要求を受信したすべての無線通信装置における送信動作が停止した際に前記所定の第１の無線通信装置から受信する前記アラーム／ステータス情報に前記アラームが含まれる場合に、前記所定の第１の無線通信装置に関連する箇所が異常であると判断し、前記アラーム／ステータス情報に前記アラームが含まれない場合に、前記所定の第１の無線通信装置以外の無線通信装置に関連する箇所が異常であると判断することができる。
【００１２】
上記無線通信システムにおいて、前記監視制御装置は、前記所定の第１の無線通信装置以外の無線通信装置に関連する箇所が異常であると判断した場合に、前記送信停止要求に基づき前記送信動作を停止した無線通信装置における送信動作が再開する毎に、前記所定の第１の無線通信装置から受信するアラーム／ステータス情報に含まれる前記アラームの有無を検出し、前記アラーム／ステータス情報に前記アラームが含まれる場合に、前記送信動作を再開した無線通信装置に関連する箇所が異常であると判断することができる。これにより、送信動作を再開した無線通信装置に関連する箇所が異常であるか否かを容易に判断することができる。
【００１３】
上記無線通信システムにおいて、前記監視制御装置は、各々の前記第１及び第２の無線通信装置において送信動作を再開するタイミングが異なるように、前記送信停止時間を設定することができる。これにより、無線通信装置の送信動作を順次再開させることができるため、通信異常の箇所を容易に判断することができる。
【００１４】
上記無線通信システムにおいて、前記監視制御装置は、前記第１及び第２の無線通信装置における送信動作を停止させる順序に従って、送信停止時間が長くなるように前記送信停止時間を設定することができる。これにより、送信動作を停止させた無線通信装置を、停止した順序で送信動作を再開させることができるため、通信異常の箇所を容易に判断することができる。
【００１５】
また、本発明は、上記無線通信システムにおいて、自局に設けられた複数の第１の無線通信装置と、該第１の無線通信装置の各々に対応して対向局に設けられ、無線回線で接続された複数の第２の無線通信装置と、前記複数の第１の無線通信装置に接続され、前記第１及び第２の無線通信装置並びに前記無線回線による無線通信の状態を監視する監視制御装置とからなる無線通信システムであって、前記監視制御装置は、所定のタイミング毎に、前記第１の無線通信装置から該第１の無線通信装置及び無線回線の状態を示すアラーム／ステータス情報を受信し、所定の第１の無線通信装置から通信異常を示すアラームを含むアラーム／ステータス情報を受信し、前記所定の第１の無線通信装置による無線通信が異常であると判断した場合に、前記所定の第１の無線通信装置及び該所定の第１の無線通信装置に接続された第２の無線通信装置以外の、一対の第１及び第２の無線通信装置に対して、各種データの送信動作を停止するための送信停止指示及び送信停止時間を含む送信停止要求を送信し、前記送信停止要求を受信した前記一対の無線通信装置における送信動作が停止した場合に、前記所定の第１の無線通信装置から受信するアラーム／ステータス情報に含まれるアラームの有無に基づき、異常箇所を判断することを特徴とする。
【００１６】
そして、本発明によれば、一対の無線通信装置における送信動作が停止した際に、所定の第１の無線通信装置から受信するアラームの有無に基づき異常箇所を判断するため、正常に動作する無線通信装置に対する不要な送信停止を行うことなく、異常箇所を判断することができる。
【００１７】
上記無線通信システムにおいて、前記監視制御装置は、前記一対の無線通信装置における送信動作が停止した際に前記所定の第１の無線通信装置から受信する前記アラーム／ステータス情報に前記アラームが含まれない場合に、前記一対の無線通信装置に関連する箇所が異常であると判断し、前記アラーム／ステータス情報に前記アラームが含まれる場合に、前記一対の無線通信装置以外の無線通信装置に関連する箇所が異常であると判断することができる。これにより、無線通信装置に対する不要な送信停止を行うことなく、異常箇所を判断することができる。
【００１８】
上記無線通信システムにおいて、前記監視制御装置は、前記所定の第１の無線通信装置及び該所定の第１の無線通信装置に接続された第２の無線通信装置以外のすべての無線通信装置における送信動作が停止した際に前記所定の第１の無線通信装置から受信する前記アラーム／ステータス情報に前記アラームが含まれる場合に、前記所定の第１の無線通信装置に関連する箇所が異常であると判断することができる。
【００１９】
また、本発明は、自局に設けられた複数の第１の無線通信装置と、該第１の無線通信装置の各々に対応して対向局に設けられ、無線回線で接続された複数の第２の無線通信装置と、前記複数の第１の無線通信装置に接続され、前記第１及び第２の無線通信装置並びに前記無線回線による無線通信の状態を監視する監視制御装置とからなる無線通信システムの異常検出方法であって、前記監視制御装置において、所定のタイミング毎に、前記第１の無線通信装置から該第１の無線通信装置及び無線回線の状態を示すアラーム／ステータス情報を受信し、所定の第１の無線通信装置から通信異常を示すアラームを含むアラーム／ステータス情報を受信し、前記所定の第１の無線通信装置による無線通信が異常であると判断した場合に、前記所定の第１の無線通信装置及び該所定の第１の無線通信装置に接続された第２の無線通信装置以外の第１及び第２の無線通信装置に対して、各種データの送信動作を停止するための送信停止指示及び送信停止時間を含む送信停止要求を送信し、前記送信停止要求を受信したすべての無線通信装置における送信動作が停止した場合に、前記所定の第１の無線通信装置から受信するアラーム／ステータス情報に含まれるアラームの有無に基づき、前記所定の第１の無線通信装置に関連する箇所が異常であるか否かを判断することを特徴とする。本発明によれば、前記発明と同様に、アラームを通知した無線通信装置に関連する箇所が異常であるのか、又は、それ以外の無線通信装置に関連する箇所の異常であるのかを判断することができ、異常箇所を容易に切り分けることができる。
【００２０】
また、本発明は、自局に設けられた複数の第１の無線通信装置と、該第１の無線通信装置の各々に対応して対向局に設けられ、無線回線で接続された複数の第２の無線通信装置と、前記複数の第１の無線通信装置に接続され、前記第１及び第２の無線通信装置並びに前記無線回線による無線通信の状態を監視する監視制御装置とからなる無線通信システムの異常検出方法であって、前記監視制御装置において、所定のタイミング毎に、前記第１の無線通信装置から該第１の無線通信装置及び無線回線の状態を示すアラーム／ステータス情報を受信し、所定の第１の無線通信装置から通信異常を示すアラームを含むアラーム／ステータス情報を受信し、前記所定の第１の無線通信装置による無線通信が異常であると判断した場合に、前記所定の第１の無線通信装置及び該所定の第１の無線通信装置に接続された第２の無線通信装置以外の、一対の第１及び第２の無線通信装置に対して、各種データの送信動作を停止するための送信停止指示及び送信停止時間を含む送信停止要求を送信し、前記送信停止要求を受信した前記一対の無線通信装置における送信動作が停止した場合に、前記所定の第１の無線通信装置から受信するアラーム／ステータス情報に含まれるアラームの有無に基づき、異常箇所を判断することを特徴とする。本発明によれば、前記発明と同様に、正常に動作する無線通信装置に対する不要な送信停止を行うことなく、異常箇所を判断することができる。
【発明の効果】
【００２１】
以上のように、本発明によれば、異常箇所を効率的に検出し、信頼性及び保守性を向上させることが可能になる。
【図面の簡単な説明】
【００２２】
【図１】本発明に係る無線通信システムの一実施の形態を示す略線図である。
【図２】無線通信装置の構成の一例を示すブロック図である。
【図３】無線通信装置の送信動作を停止させる処理について説明するためのシーケンス図である。
【図４】無線通信装置の送信動作を再開させる処理について説明するためのシーケンス図である。
【図５】本発明に係る無線通信システムの一実施の形態の変形例における、無線通信装置の送信動作を停止させる処理について説明するためのシーケンス図である。
【発明を実施するための形態】
【００２３】
次に、本発明を実施するための形態について、図面を参照しながら詳細に説明する。
【００２４】
図１は、本発明に係る無線通信システムの一実施の形態を示し、この無線通信システム１は、複数の無線通信装置１０と、監視制御装置２０とで構成される。また、複数の無線通信装置１０は、自局に設けられた複数の無線通信装置１０Ａ1、１０Ａ2、・・・、１０Ａn-1、１０Ａnと、これら自局の無線通信装置１０Ａ1、１０Ａ2、・・・、１０Ａn-1、１０Ａnの各々に対応して対向局に設けられた複数の無線通信装置１０Ｂ1、１０Ｂ2、・・・、１０Ｂn-1、１０Ｂnとからなる。
【００２５】
尚、以下の説明において、自局の無線通信装置１０Ａ1、１０Ａ2、・・・、１０Ａn-1、１０Ａnを特に区別する必要がない場合は、「無線通信装置１０Ａ」とし、対向局の無線通信装置１０Ｂ1、１０Ｂ2、・・・、１０Ｂn-1、１０Ｂnを特に区別する必要がない場合は、「無線通信装置１０Ｂ」とする。また、無線通信装置１０Ａ及び１０Ｂは、同様の構成であるため、以下の説明において特に区別する必要がない場合には、「無線通信装置１０」とする。
【００２６】
互いに対応して設けられた自局及び対向局の無線通信装置１０Ａ及び１０Ｂは、無線回線２で接続される。尚、以下では、自局の無線通信装置１０Ａ1、１０Ａ2、・・・、１０Ａn-1、１０Ａnから対向局の無線通信装置１０Ｂ1、１０Ｂ2、・・・、１０Ｂn-1、１０Ｂnに対して通信を行う際に用いられる無線回線２（送信方向）を「無線回線２Ａ1、２Ａ2、・・・、２Ａn-1、２Ａn」として説明する。また、無線通信装置１０Ｂ1、１０Ｂ2、・・・、１０Ｂn-1、１０Ｂnから無線通信装置１０Ａ1、１０Ａ2、・・・、１０Ａn-1、１０Ａnに対して通信を行う際に用いられる無線回線２（受信方向）を「無線回線２Ｂ1、２Ｂ2、・・・、２Ｂn-1、２Ｂn」とする。さらに、以下において、無線回線２Ａ1、２Ａ2、・・・、２Ａn-1、２Ａn、及び、無線回線２Ｂ1、２Ｂ2、・・・、２Ｂn-1、２Ｂnを特に区別する必要がない場合には、「無線回線２Ａ」及び「無線回線２Ｂ」として説明する。
【００２７】
無線通信装置１０は、図示しない外部の機器に対して信号回線３で接続され、外部の機器との間で各種データの授受を行う。そして、無線回線２を介して各種データを送受信することで、対応する対向局の無線通信装置１０との間で通信を行う。また、無線通信装置１０は、無線回線２を介して通信を行う際に用いられる送信周波数や受信周波数等の、無線回線２を形成するための無線情報を有する。これにより、他の無線通信装置同士の通信に対する混線や影響を防ぐことができる。
【００２８】
自局の無線通信装置１０Ａは、対応する対向局の無線通信装置１０Ｂとの間で、正常に無線通信を行うことができるか否かを所定時間毎に判断し、通信に異常が発生したと判断した場合には、異常を示すアラームを含む、無線通信装置及び回線の状態を示すアラーム／ステータス情報を、後述する監視制御装置２０に対して供給する。
【００２９】
監視制御装置２０は、自局の無線通信装置１０Ａ1、１０Ａ2、・・・、１０Ａn-1、１０Ａnと監視制御回線４で接続され、接続された各無線通信装置１０Ａについての回線情報を記憶し、無線回線２及び／又は無線通信装置１０に異常が発生した場合等に保守を行うための監視制御を行う。
【００３０】
例えば、監視制御装置２０は、所定の無線通信装置１０Ａからアラーム／ステータス情報が供給された場合に、無線回線２及び／又は無線通信装置１０に異常が発生したと判断し、各無線通信装置１０Ａ及び１０Ｂの間での各種データの送信を停止することを示す送信停止指示や停止時間を含む設定情報を、アラーム／ステータス情報を供給した無線通信装置１０Ａ以外の無線通信装置１０Ａに対して監視制御回線４を介して供給する。
【００３１】
次に、無線通信装置１０の構成の一例について、図２を参照して説明する。無線通信装置１０は、信号処理部１１、複数の無線送受信処理部１２、１２、・・・、アンテナ１３、装置制御部１４、記憶部１５及びタイマー１６を備える。この例では、複数の無線送受信処理部１２、１２、・・・として、２つの無線送受信処理部１２Ａ及び１２Ｂが設けられた場合を示す。
【００３２】
信号処理部１１は、信号回線３を介して外部の機器から受け取った各種データに対して、所定の信号処理を施す。信号処理部１１は、無線送受信処理部１２Ａ及び１２Ｂと装置信号回線１７を介して接続され、信号処理を施した各種データを無線送受信処理部１２Ａ又は１２Ｂに対して供給する。また、信号処理部１１は、無線送受信処理部１２Ａ又は１２Ｂから装置信号回線１７を介して各種データを受信し、所定の信号処理を施して、信号回線３を介して外部の機器に対して供給する。
【００３３】
無線送受信処理部１２、１２、・・・は、例えば、故障した際の交換等を考慮して複数設けられ、通常時には、複数の無線送受信処理部１２、１２、・・・のうちいずれかを使用して通信を行う。尚、無線送受信処理部１２、１２、・・・（この例において、無線送受信処理部１２Ａ及び１２Ｂ）は、同様の構成及び機能を有するため、以下では、「無線送受信処理部１２」として説明する。
【００３４】
無線送受信処理部１２は、アンテナ１３が接続され、各種データを対向局の無線通信装置１０に対して送信する場合には、装置信号回線１７を介して信号処理部１１から受け取った各種データに対して所定の送信処理を施し、アンテナ１３及び無線回線２Ａを介して送信する。また、対向局の無線通信装置１０から各種データを受信する場合、無線送受信処理部１２は、無線回線２Ｂ及びアンテナ１３を介して受信した各種データに対して所定の受信処理を施し、装置信号回線１７を介して信号処理部１１に供給する。
【００３５】
装置制御部１４は、監視制御回線４が接続され、監視制御装置２０からの指示や、対向局の無線通信装置１０と接続する無線回線２の設定等の処理を行う。また、装置制御部１４は、装置制御回線１８を介して信号処理部１１及び無線送受信処理部１２と接続され、無線通信装置１０や無線回線２の異常を示すアラームの収集や、信号処理部１１及び無線送受信処理部１２に対する各種設定等を行う。
【００３６】
さらに、装置制御部１４は、記憶部１５及びタイマー１６が接続される。記憶部１５は、例えば、電源が切断された場合でも記憶された情報が消去されない不揮発性メモリで構成され、監視制御装置２０から監視制御回線４を介して装置制御部１４に供給された設定情報を記憶する。タイマー１６は、監視制御装置２０から設定された所定時間が設定され、この所定時間経過後に、所定時間が経過したことを装置制御部１４に対して通知する。
【００３７】
次に、上記構成を有する無線通信システム１において、異常箇所を判断するための動作について説明する。
【００３８】
まず、無線通信装置１０の送信動作を停止させる処理について、図３を参照して説明する。ここでは、所定の無線通信装置１０Ａmから異常を知らせるアラームが監視制御装置２０に対して通知された場合を例にとって説明する。
【００３９】
図３に示す処理に先立って、自局の各無線通信装置１０Ａは、対応する対向局の無線通信装置１０Ｂとの間で正常に無線通信を行うことができるか否かを所定時間毎に判断する。そして、対向局の無線通信装置１０Ｂとの通信に異常が発生したと判断した場合には、異常を示すアラームを含むアラーム／ステータス情報を監視制御装置２０に対して送信する。
【００４０】
ここで、所定の無線通信装置１０Ａmが無線通信装置１０Ｂmとの間で通信異常を検出すると（ステップＳ１）、無線通信装置１０Ａmは、通信異常を示すアラームを含むアラーム／ステータス情報を監視制御装置２０に対して送信する（シーケンスＳＥＱ１）。
【００４１】
監視制御装置２０は、無線通信装置１０Ａmから受信したアラーム／ステータス情報に基づき、無線通信装置１０Ａmの通信異常を示す回線アラームを検出する（ステップＳ２）。そして、監視制御装置２０は、無線通信装置１０Ａm及び１０Ｂm、並びにこれらを接続する無線回線２以外の無線通信装置に対して、各種データの送信動作を停止させるための送信停止の通知（送信停止指示）を開始する（ステップＳ３）。
【００４２】
送信停止指示は、まず、自局の無線通信装置１０Ａ1に対応する対向局の無線通信装置１０Ｂ1に対して行い、無線通信装置１０Ｂ1の送信停止が確認された後に、自局の無線通信装置１０Ａ1に対して行う。具体的には、監視制御装置２０は、送信停止指示及び所定の停止時間ｔ1を含む送信停止要求（設定情報）を、無線通信装置１０Ａ1及び無線回線２Ａ1を介して無線通信装置１０Ｂ1に送信する（シーケンスＳＥＱ２）。
【００４３】
無線通信装置１０Ｂ1は、監視制御装置２０から受信した送信停止要求に基づき、送信動作を停止すると共に、送信停止要求に含まれる停止時間ｔ1をタイマー１６に設定する（ステップＳ４）。このとき、無線通信装置１０Ａ1は、無線通信装置１０Ｂ1の送信停止により、無線通信装置１０Ｂ1がデータの受信不可であることを検出し（ステップＳ５）、受信不可（無線通信装置１０Ｂ1の送信停止）を示す受信アラームを含むアラーム／ステータス情報を監視制御装置２０に対して送信する（シーケンスＳＥＱ３）。
【００４４】
監視制御装置２０は、無線通信装置１０Ａ1から受信したアラーム／ステータス情報に基づき、無線通信装置１０Ｂ1の送信停止を検出する（ステップＳ６）。
【００４５】
次に、監視制御装置２０は、無線通信装置１０Ｂ1の送信停止を検出すると、無線通信装置１０Ａ1に対する送信停止指示及び所定の停止時間ｔ2を含む送信停止要求を、無線通信装置１０Ａ1に対して送信する（シーケンスＳＥＱ４）。ここで、停止時間ｔ2は、無線通信装置１０Ｂ1に対する停止時間ｔ1とは異なる時間となるようにする。例えば、停止時間ｔ2は、停止時間ｔ1よりも長い時間となるようにすると好ましい。
【００４６】
無線通信装置１０Ａ1は、監視制御装置２０から受信した送信停止要求に基づき、送信動作を停止すると共に、送信停止要求に含まれる停止時間ｔ2をタイマー１６に設定し（ステップＳ７）、送信停止を示す情報を含むアラーム／ステータス情報を監視制御装置２０に対して送信する（シーケンスＳＥＱ５）。
【００４７】
監視制御装置２０は、無線通信装置１０Ａ1から受信したアラーム／ステータス情報に基づき、無線通信装置１０Ａ1の送信停止を検出する（ステップＳ８）。
【００４８】
次に、監視制御装置２０は、シーケンスＳＥＱ２及びＳＥＱ３、並びにステップＳ４〜Ｓ６と同様の処理により、無線通信装置１０Ｂ2の送信動作を停止させ、送信停止を検出する（シーケンスＳＥＱ６及びＳＥＱ７、ステップＳ９〜Ｓ１１）。
【００４９】
また、監視制御装置２０は、無線通信装置１０Ｂ2の送信停止を検出すると、シーケンスＳＥＱ４及びＳＥＱ５、並びにステップＳ７及びＳ８と同様の処理により、無線通信装置１０Ａ2の送信動作を停止させ、送信停止を検出する（シーケンスＳＥＱ８及びＳＥＱ９、ステップＳ１２及びＳ１３）。
【００５０】
以下、同様にして、監視制御装置２０は、接続された各無線通信装置１０Ａ及びこれらに対応する各無線通信装置１０Ｂの送信動作を停止させ、送信停止を検出する（シーケンスＳＥＱ１０〜ＳＥＱ１３、ステップＳ１４〜Ｓ１８）。
【００５１】
尚、上述の処理によって無線通信装置１０Ｂ2、１０Ａ2、・・・、１０Ｂn及び１０Ａnに設定される停止時間ｔ3、ｔ4、・・・、ｔ2n-1及びｔ2nは、上述したように、各々が異なる時間となるように設定する。
【００５２】
より具体的には、各無線通信装置において送信動作を再開させた際に、各々の無線通信装置における送信動作が同時に再開することがないように設定する。そのためには、例えば、送信が停止された順序に従って長い時間となるように設定すると好ましい。具体的には、例えば、停止時間が「ｔ1＜ｔ2＜ｔ3＜ｔ4＜・・・＜ｔ2n-1＜ｔ2n」となるように設定する。
【００５３】
次に、監視制御装置２０は、接続されたすべての無線通信装置１０Ａ及び１０Ｂに対して送信停止を通知した段階で、無線通信装置１０Ａmからアラーム／ステータス情報を受信し、無線通信装置１０Ａm及び１０Ｂmの間での通信異常が解消されたか否かを判断する。
【００５４】
このとき、アラームが残っている場合、監視制御装置２０は、無線通信装置１０Ａmに関連する箇所（無線通信装置１０Ａm、無線通信装置１０Ｂm、無線回線２等）が異常であると判断し、例えば、保守者に対する警告や、異常に関する情報を通知し、送信停止状態の他の無線回線が復旧するまで待機する。
【００５５】
一方、アラームが消えた場合、監視制御装置２０は、送信停止状態の無線通信装置１０Ａ1〜１０Ａnに関連する箇所が異常であると判断する。この場合には、後述するようにして各無線通信装置１０の送信停止を解除して送信動作を再開させた際に、異常箇所を判断することができる。
【００５６】
次に、送信停止された無線通信装置の送信動作を再開させる処理について、図４を参照して説明する。ここでは、上述した図３に示す無線通信装置の送信停止処理によって、アラームを通知した無線通信装置１０Ａm以外のすべての無線通信装置の送信動作が停止され、無線通信装置１０Ａmからのアラームが消えた場合を例にとって説明する。また、この例では、各無線通信装置１０における停止時間が「ｔ1＜ｔ2＜ｔ3＜ｔ4＜・・・＜ｔ2n-1＜ｔ2n」となるように設定されたものとする。
【００５７】
この再開処理では、図３に示す処理によって各無線通信装置１０に対して設定された所定の送信停止時間が経過した順に、各無線通信装置１０の送信動作が再開されるので、まず、すべての無線通信装置の中で最も短い停止時間ｔ1が設定された無線通信装置１０Ｂ1の送信動作が再開される。
【００５８】
無線通信装置１０Ｂ1の装置制御部１４（図２参照）は、停止時間ｔ1が経過したことをタイマー１６から通知されると、装置制御回線１８を介して無線送受信処理部１２に対して送信再開を指示する。無線送受信処理部１２は、装置制御部１４からの送信再開指示に基づき、無線送信を再開して無線回線２Ｂ1を復旧させる（ステップＳ２１）。これにより、無線通信装置１０Ａ1では、無線通信装置１０Ｂ1からの信号を受信可能となり（シーケンスＳＥＱ２１）、受信アラームが回復したことを検出する（ステップＳ２２）。そして、無線通信装置１０Ａ1は、無線回線２Ｂ1が復旧したことを示す情報を含むアラーム／ステータス情報を監視制御装置２０に対して送信する（シーケンスＳＥＱ２２）。
【００５９】
監視制御装置２０は、無線通信装置１０Ａ1から受信したアラーム／ステータス情報に基づき、無線回線２Ｂ1が復旧したことを検出する（ステップＳ２３）。
【００６０】
一方、通信異常を通知した無線通信装置１０Ａmは、所定のタイミング毎に通信異常の有無を検出し（ステップＳ２４）、通信異常の有無を示す情報を含むアラーム／ステータス情報を監視制御装置２０に対して送信する（シーケンスＳＥＱ２３）。
【００６１】
監視制御装置２０は、無線通信装置１０Ａmから受信したアラーム／ステータス情報に基づき、回線状態を確認する（ステップＳ２５）。このとき、無線通信装置１０Ａmからアラームが再度通知された場合には、監視制御装置２０は、無線通信装置１０Ａmにおける通信異常の原因が無線回線２Ｂ1にあると判断し、他の無線回線（無線通信装置の送信動作）が復旧するまで待機する。一方、無線通信装置１０Ａmからアラームが通知されない場合、監視制御装置２０は、無線回線２Ｂ1が通信異常の原因ではないと判断し、次の無線通信装置の送信動作再開まで待機する。
【００６２】
次に、無線通信装置１０Ａ1の装置制御部１４は、停止時間ｔ2が経過したことをタイマー１６から通知されると、装置制御回線１８を介して無線送受信処理部１２に対して送信再開を指示する。無線送受信処理部１２は、装置制御部１４からの送信再開指示に基づき、無線送信を再開して無線回線２Ａ1を復旧させる（ステップＳ２６）。これにより、無線通信装置１０Ｂ1では、無線通信装置１０Ａ1からの信号を受信可能となり（シーケンスＳＥＱ２４）、受信アラームが回復したことを検出する（ステップＳ２７）。そして、無線通信装置１０Ｂ1は、無線回線２Ａ1が復旧したことを示す情報を含むアラーム／ステータス情報を監視制御装置２０に対して送信する（シーケンスＳＥＱ２５）。
【００６３】
監視制御装置２０は、無線通信装置１０Ｂ1から受信したアラーム／ステータス情報に基づき、無線回線２Ａ1が復旧したことを検出する（ステップＳ２８）。
【００６４】
一方、通信異常を通知した無線通信装置１０Ａmは、所定のタイミング毎に通信異常の有無を検出し（ステップＳ２９）、通信異常の有無を示す情報を含むアラーム／ステータス情報を監視制御装置２０に対して送信する（シーケンスＳＥＱ２６）。
【００６５】
監視制御装置２０は、無線通信装置１０Ａmから受信したアラーム／ステータス情報に基づき、回線状態を確認する（ステップＳ３０）。このとき、無線通信装置１０Ａmからアラームが再度通知された場合には、監視制御装置２０は、無線通信装置１０Ａmにおける通信異常の原因が無線回線２Ａ1にあると判断し、他の無線回線（無線通信装置の送信動作）が復旧するまで待機する。一方、無線通信装置１０Ａmからアラームが通知されない場合、監視制御装置２０は、無線回線２Ａ1が通信異常の原因ではないと判断し、次の無線通信装置の送信動作再開まで待機する。
【００６６】
以下、同様にして、監視対象であるすべての無線通信装置の送信動作を、停止時間に従って再開させ、無線通信装置１０Ａmにおける通信異常の原因がいずれかの無線通信装置及び／又は無線回線によるものであるかを判断する（ステップＳ３１〜Ｓ５０、シーケンスＳＥＱ２７〜ＳＥＱ３８）。
【００６７】
次に、監視制御装置２０は、すべての無線通信装置による送信動作が再開し、すべての無線回線が復旧したか否かを判断する（ステップＳ５１）。そして、すべての無線回線が復旧したと判断した場合には、監視制御装置２０は、監視対象の無線通信装置１０の記憶部１５に記憶された情報を取得し、取得した情報を警告と共に保守者に対して通知する。
【００６８】
この場合、通知を受けた保守者は、各無線通信装置１０に関する情報を確認し、例えば、問題となる無線通信装置の設定等に誤りがあれば、再設定や再調整を実施することで、通信異常を解消することができる。また、確認した情報に問題がない場合には、例えば、無線通信装置自体が故障していると判断し、新しい無線通信装置と交換する。
【００６９】
このように、各無線通信装置１０の送信動作を再開させた際に得られる情報に基づき、異常箇所の設定変更や、装置の交換を行うことにより、システム全体の信頼性の向上や保守作業の効率化を図ることができる。
【００７０】
尚、上述のようにして検出された異常箇所に関する情報（再設定や交換した無線通信装置の番号等）を保存・蓄積することにより、次回以降の保守作業をさらに効率化することも可能である。
【００７１】
具体的には、例えば、通信異常が再度検出された場合には、前回の保守作業において再設定を行った無線通信装置を優先的に確認したり、交換した無線通信装置の処理順序を最後にすることにより、さらなる信頼性の向上や保守作業の効率化を図ることができる。
【００７２】
以上のように、本実施の形態によれば、所定の無線通信装置から通信異常を示すアラームが通知された場合に、アラームを通知した無線通信装置以外の、監視対象となるすべての無線通信装置における送信動作を停止させ、このときのアラームの有無によって通信異常の原因を判断するため、通信異常の原因がアラームを通知した無線通信装置及び無線回線にあるのか、又は、それ以外の無線通信装置及び無線回線にあるのかを切り分けることができる。
【００７３】
また、通信異常の原因がアラームを通知した無線通信装置及び無線回線以外の無線通信装置及び無線回線である場合に、監視対象の無線通信装置の送信動作を順次再開させることにより、どの無線通信装置に問題があるかを、送信動作が再開した時点で判断できる。
【００７４】
次に、本発明に係る無線通信システムの一実施の形態の変形例について説明する。上述した無線通信システムの一実施の形態では、所定の無線通信装置からアラームが通知された場合に、監視制御装置２０から各無線通信装置１０に対する送信停止指示を無線通信装置単位で送信することにより、監視対象のすべての無線通信装置における送信動作を順次停止したが、この変形例では、アラームが通知された場合の無線通信装置における送信動作を、無線回線単位で停止させる。すなわち、この変形例では、所定の無線回線で互いに接続された自局及び対向局の無線通信装置における送信動作を続けて停止させる。
【００７５】
本実施の形態の変形例における、無線通信装置の送信動作を停止させる処理について、図５を参照して説明する。尚、この変形例における無線通信システムの構成については、上述の実施形態と同様であるため、説明を省略する。
【００７６】
まず、図示しないが、図５に示す処理に先立って、所定の無線通信装置１０Ａmから通信異常を示すアラームを含むアラーム／ステータス情報が監視制御装置２０に対して送信されると、監視制御装置２０は、無線通信装置１０Ａm及び１０Ｂm、並びにこれらを接続する無線回線２以外の無線通信装置に対して、各種データの送信動作を停止させるための送信停止の通知（送信停止指示）を開始する（ステップＳ６１）。
【００７７】
送信停止指示は、まず、自局の無線通信装置１０Ａ1に対応する対向局の無線通信装置１０Ｂ1に対して行い、続けて自局の無線通信装置１０Ａ1に対して行う。具体的には、監視制御装置２０は、送信停止指示及び所定の停止時間ｔ1を含む送信停止要求（設定情報）を、無線通信装置１０Ａ1及び無線回線２Ａ1を介して無線通信装置１０Ｂ1に送信する（シーケンスＳＥＱ６１）。
【００７８】
次に、監視制御装置２０は、無線通信装置１０Ａ1に対する送信停止指示及び所定の停止時間ｔ2を含む送信停止要求を、無線通信装置１０Ａ1に対して送信する（シーケンスＳＥＱ６２）。ここで、上述の実施形態と同様に、停止時間ｔ2は、無線通信装置１０Ｂ1に対する停止時間ｔ1とは異なる時間となるように設定し、例えば、停止時間ｔ1よりも長い時間となるようにすると好ましい。
【００７９】
無線通信装置１０Ｂ1は、監視制御装置２０から受信した送信停止要求に基づき、送信動作を停止すると共に、送信停止要求に含まれる停止時間ｔ1をタイマー１６に設定する（ステップＳ６２）。
【００８０】
また、無線通信装置１０Ａ1も同様に、監視制御装置２０から受信した送信停止要求に基づき、送信動作を停止すると共に、送信停止要求に含まれる停止時間ｔ2をタイマー１６に設定する（ステップＳ６３）。そして、無線通信装置１０Ａ1は、無線通信装置１０Ｂ1の送信停止により、無線通信装置１０Ｂ1がデータの受信不可であることを検出し（ステップＳ６４）、受信不可（無線通信装置１０Ｂ1の送信停止）を示す受信アラームを含むアラーム／ステータス情報を監視制御装置２０に対して送信する（シーケンスＳＥＱ６３）。
【００８１】
監視制御装置２０は、無線通信装置１０Ａ1から受信したアラーム／ステータス情報に基づき、無線通信装置１０Ａ1及び１０Ｂ1の送信停止を検出する（ステップＳ６５）。
【００８２】
次に、監視制御装置２０は、所定のタイミング毎に無線通信装置１０Ａmから送信されるアラーム／ステータス情報を受信し（シーケンスＳＥＱ６４）、無線通信装置１０Ａm及び１０Ｂmの間での通信異常が解消されたか否かを判断する（ステップＳ６６）。
【００８３】
このとき、アラームが消えた場合、監視制御装置２０は、送信動作を停止した無線通信装置１０Ａ1及び１０Ｂ1に関連する箇所が異常であると判断し、無線通信装置１０Ａ1及び１０Ｂ1の記憶部１５に記憶された情報を取得し、取得した情報を警告と共に保守者に対して通知する。通知を受けた保守者は、上述の実施形態と同様に、無線通信装置１０Ａ1及び１０Ｂ1に関する情報に基づき、無線通信装置の再設定・再調整の実施や、無線通信装置の交換を行う。
【００８４】
一方、アラームが残っている場合、監視制御装置２０は、他の無線通信装置に関連する箇所が異常であると判断し、次の無線通信装置における送信動作を停止する処理を行う。
【００８５】
次に、監視制御装置２０は、シーケンスＳＥＱ６１〜ＳＥＱ６３、及びステップＳ６２〜Ｓ６５と同様の処理により、無線通信装置１０Ａ2及び１０Ｂ2の送信動作を停止させ、送信停止を検出する（シーケンスＳＥＱ６５〜ＳＥＱ６７、ステップＳ６７〜Ｓ７０）。
【００８６】
そして、監視制御装置２０は、所定のタイミング毎に無線通信装置１０Ａmから送信されるアラーム／ステータス情報を受信し（シーケンスＳＥＱ６８）、無線通信装置１０Ａm及び１０Ｂmの間での通信異常が解消されたか否かを判断する（ステップＳ７１）。
【００８７】
このとき、アラームが消えた場合には、送信動作を停止した無線通信装置１０Ａ2及び１０Ｂ2に関連する箇所が異常であると判断し、アラームが残っている場合には、他の無線通信装置に関連する箇所が異常であると判断し、次の無線通信装置における送信動作を停止する処理を行う。
【００８８】
以下、同様にして、監視制御装置２０は、接続された各無線通信装置１０Ａ及びこれらに対応する各無線通信装置１０Ｂの送信動作を停止させ、送信停止を検出する（シーケンスＳＥＱ６９〜ＳＥＱ７１、ステップＳ７２〜Ｓ７５）と共に、無線通信装置１０Ａm及び１０Ｂmの間での通信異常が解消されたか否かを判断する（シーケンスＳＥＱ７２、ステップＳ７６）。
【００８９】
そして、すべての無線通信装置１０Ａ及び１０Ｂにおける送信動作を停止させた段階で、アラームが残っている場合には、アラームを通知した無線通信装置１０Ａm及び１０Ｂmに関連する箇所が異常であると判断し、保守者に対して異常を通知して保守処理を行う。
【００９０】
以上のように、本実施の形態の変形例によれば、無線回線単位で自局及び対向局の無線通信装置の送信動作をを続けて停止させ、アラームの有無に基づき異常箇所を判断するため、正常な無線通信装置の送信動作を不要に停止させることなく、保守作業を効率的に行うことができると共に、処理時間を短縮できることによってシステム全体の信頼性を向上させることができる。
【００９１】
以上、本発明の実施の形態及び変形例について説明したが、本発明は、上述した本発明の実施の形態及び変形例に限定されるものではなく、本発明の要旨を逸脱しない範囲内で様々な変形や応用が可能である。例えば、上述の例では、無線通信装置における無線送受信処理部を複数設けるように説明したが、これに限られず、例えば、故障等を考慮する必要がない場合には、無線送受信処理部を１つとしてもよい。
【００９２】
尚、上記の実施形態の一部又は全部は、以下の付記のようにも記載されうるが、以下には限られない。
【００９３】
（付記１）
自局に設けられた複数の第１の無線通信装置と、該第１の無線通信装置の各々に対応して対向局に設けられ、無線回線で接続された複数の第２の無線通信装置と、前記複数の第１の無線通信装置に接続され、前記第１及び第２の無線通信装置並びに前記無線回線による無線通信の状態を監視する監視制御装置とからなる無線通信システムであって、
前記監視制御装置は、
所定のタイミング毎に、前記第１の無線通信装置から該第１の無線通信装置及び無線回線の状態を示すアラーム／ステータス情報を受信し、
所定の第１の無線通信装置から通信異常を示すアラームを含むアラーム／ステータス情報を受信し、前記所定の第１の無線通信装置による無線通信が異常であると判断した場合に、
前記所定の第１の無線通信装置及び該所定の第１の無線通信装置に接続された第２の無線通信装置以外の第１及び第２の無線通信装置に対して、各種データの送信動作を停止するための送信停止指示及び送信停止時間を含む送信停止要求を送信し、
前記送信停止要求を受信したすべての無線通信装置における送信動作が停止した場合に、前記所定の第１の無線通信装置から受信するアラーム／ステータス情報に含まれるアラームの有無に基づき、前記所定の第１の無線通信装置に関連する箇所が異常であるか否かを判断する無線通信システム。
【００９４】
（付記２）
前記監視制御装置は、
前記送信停止要求を受信したすべての無線通信装置における送信動作が停止した際に前記所定の第１の無線通信装置から受信する前記アラーム／ステータス情報に前記アラームが含まれる場合に、前記所定の第１の無線通信装置に関連する箇所が異常であると判断し、
前記アラーム／ステータス情報に前記アラームが含まれない場合に、前記所定の第１の無線通信装置以外の無線通信装置に関連する箇所が異常であると判断する付記１に記載の無線通信システム。
【００９５】
（付記３）
前記監視制御装置は、
前記所定の第１の無線通信装置以外の無線通信装置に関連する箇所が異常であると判断した場合に、
前記送信停止要求に基づき前記送信動作を停止した無線通信装置における送信動作が再開する毎に、前記所定の第１の無線通信装置から受信するアラーム／ステータス情報に含まれる前記アラームの有無を検出し、
前記アラーム／ステータス情報に前記アラームが含まれる場合に、前記送信動作を再開した無線通信装置に関連する箇所が異常であると判断する付記２に記載の無線通信システム。
【００９６】
（付記４）
前記監視制御装置は、各々の前記第１及び第２の無線通信装置において送信動作を再開するタイミングが異なるように、前記送信停止時間を設定する付記１、２又は３に記載の無線通信システム。
【００９７】
（付記５）
前記監視制御装置は、前記第１及び第２の無線通信装置における送信動作を停止させる順序に従って、送信停止時間が長くなるように前記送信停止時間を設定する付記４に記載の無線通信システム。
【００９８】
（付記６）
前記監視制御装置は、異常であると判断した無線通信装置に関する情報を保存する付記１乃至５のいずれかに記載の無線通信システム。
【００９９】
（付記７）
前記第１の無線通信装置は、
前記第２の無線通信装置との間で各種データの送受信を行う第１の無線送受信処理部と、
各種設定情報を記憶する第１の記憶部と、
前記監視制御装置から前記送信停止指示を受けた場合に、前記送信停止時間を設定する第１のタイマーと、
前記第１の無線送受信処理部による送受信の動作を制御すると共に、前記第２の無線通信装置との間の無線通信が異常であるか否かを所定のタイミング毎に検出する第１の制御部とを備え、
前記第１の制御部は、
前記第２の無線通信装置との間の通信の異常を検出した場合に、前記アラームを含む前記アラーム／ステータス情報を前記監視制御装置に対して送信し、
前記監視制御装置から送信された前記送信停止要求に基づき、前記第１の無線送受信処理部における送信動作を停止させると共に、前記送信停止時間を前記第１のタイマーに設定し、
前記第２の無線通信装置は、
前記第１の無線通信装置との間で各種データの送受信を行う第２の無線送受信処理部と、
各種設定情報を記憶する第２の記憶部と、
前記監視制御装置から前記第１の無線通信装置及び前記無線回線を介して前記送信停止指示を受けた場合に、前記送信停止時間を設定する第２のタイマーと、
前記第２の無線送受信処理部による送受信の動作を制御する第２の制御部とを備え、
前記第２の制御部は、
前記送信停止要求に基づき、前記第２の無線送受信処理部における送信動作を停止させると共に、前記送信停止時間を前記第２のタイマーに設定する付記１乃至６のいずれかに記載の無線通信システム。
【０１００】
（付記８）
前記第１及び／又は第２の無線送受信処理部は、１つ又は複数設けられる付記７に記載の無線通信システム。
【０１０１】
（付記９）
自局に設けられた複数の第１の無線通信装置と、該第１の無線通信装置の各々に対応して対向局に設けられ、無線回線で接続された複数の第２の無線通信装置と、前記複数の第１の無線通信装置に接続され、前記第１及び第２の無線通信装置並びに前記無線回線による無線通信の状態を監視する監視制御装置とからなる無線通信システムであって、
前記監視制御装置は、
所定のタイミング毎に、前記第１の無線通信装置から該第１の無線通信装置及び無線回線の状態を示すアラーム／ステータス情報を受信し、
所定の第１の無線通信装置から通信異常を示すアラームを含むアラーム／ステータス情報を受信し、前記所定の第１の無線通信装置による無線通信が異常であると判断した場合に、
前記所定の第１の無線通信装置及び該所定の第１の無線通信装置に接続された第２の無線通信装置以外の、一対の第１及び第２の無線通信装置に対して、各種データの送信動作を停止するための送信停止指示及び送信停止時間を含む送信停止要求を送信し、
前記送信停止要求を受信した前記一対の無線通信装置における送信動作が停止した場合に、前記所定の第１の無線通信装置から受信するアラーム／ステータス情報に含まれるアラームの有無に基づき、異常箇所を判断する無線通信システム。
【０１０２】
（付記１０）
前記監視制御装置は、
前記一対の無線通信装置における送信動作が停止した際に前記所定の第１の無線通信装置から受信する前記アラーム／ステータス情報に前記アラームが含まれない場合に、前記一対の無線通信装置に関連する箇所が異常であると判断し、
前記アラーム／ステータス情報に前記アラームが含まれる場合に、前記一対の無線通信装置以外の無線通信装置に関連する箇所が異常であると判断する付記９に記載の無線通信システム。
【０１０３】
（付記１１）
前記監視制御装置は、
前記所定の第１の無線通信装置及び該所定の第１の無線通信装置に接続された第２の無線通信装置以外のすべての無線通信装置における送信動作が停止した際に前記所定の第１の無線通信装置から受信する前記アラーム／ステータス情報に前記アラームが含まれる場合に、前記所定の第１の無線通信装置に関連する箇所が異常であると判断する付記１０に記載の無線通信システム。
【０１０４】
（付記１２）
自局に設けられた複数の第１の無線通信装置と、該第１の無線通信装置の各々に対応して対向局に設けられ、無線回線で接続された複数の第２の無線通信装置と、前記複数の第１の無線通信装置に接続され、前記第１及び第２の無線通信装置並びに前記無線回線による無線通信の状態を監視する監視制御装置とからなる無線通信システムの異常検出方法であって、
前記監視制御装置において、
所定のタイミング毎に、前記第１の無線通信装置から該第１の無線通信装置及び無線回線の状態を示すアラーム／ステータス情報を受信し、
所定の第１の無線通信装置から通信異常を示すアラームを含むアラーム／ステータス情報を受信し、前記所定の第１の無線通信装置による無線通信が異常であると判断した場合に、
前記所定の第１の無線通信装置及び該所定の第１の無線通信装置に接続された第２の無線通信装置以外の第１及び第２の無線通信装置に対して、各種データの送信動作を停止するための送信停止指示及び送信停止時間を含む送信停止要求を送信し、
前記送信停止要求を受信したすべての無線通信装置における送信動作が停止した場合に、前記所定の第１の無線通信装置から受信するアラーム／ステータス情報に含まれるアラームの有無に基づき、前記所定の第１の無線通信装置に関連する箇所が異常であるか否かを判断する異常検出方法。
【０１０５】
（付記１３）
自局に設けられた複数の第１の無線通信装置と、該第１の無線通信装置の各々に対応して対向局に設けられ、無線回線で接続された複数の第２の無線通信装置と、前記複数の第１の無線通信装置に接続され、前記第１及び第２の無線通信装置並びに前記無線回線による無線通信の状態を監視する監視制御装置とからなる無線通信システムの異常検出方法であって、
前記監視制御装置において、
所定のタイミング毎に、前記第１の無線通信装置から該第１の無線通信装置及び無線回線の状態を示すアラーム／ステータス情報を受信し、
所定の第１の無線通信装置から通信異常を示すアラームを含むアラーム／ステータス情報を受信し、前記所定の第１の無線通信装置による無線通信が異常であると判断した場合に、
前記所定の第１の無線通信装置及び該所定の第１の無線通信装置に接続された第２の無線通信装置以外の、一対の第１及び第２の無線通信装置に対して、各種データの送信動作を停止するための送信停止指示及び送信停止時間を含む送信停止要求を送信し、
前記送信停止要求を受信した前記一対の無線通信装置における送信動作が停止した場合に、前記所定の第１の無線通信装置から受信するアラーム／ステータス情報に含まれるアラームの有無に基づき、異常箇所を判断する異常検出方法。
【符号の説明】
【０１０６】
１  無線通信システム
２（２Ａ、２Ａ1、２Ａ2、・・・、２Ａn-1、２Ａn、２Ｂ、２Ｂ1、２Ｂ2、・・・、２Ｂn-1、２Ｂn）  無線回線
３  信号回線
４  監視制御回線
１０（１０Ａ、１０Ａ1、１０Ａ2、・・・、１０Ａm、・・・、１０Ａn-1、１０Ａn、１０Ｂ、１０Ｂ1、１０Ｂ2、・・・、１０Ｂm、・・・、１０Ｂn-1、１０Ｂn）  無線通信装置
１１  信号処理部
１２（１２Ａ、１２Ｂ）  無線送受信処理部
１３  アンテナ
１４  装置制御部
１５  記憶部
１６  タイマー
１７  装置信号回線
１８  装置制御回線
２０  監視制御装置
【図１】
2014011760.tif 000003
【図２】
2014011760.tif 000004
【図３】
2014011760.tif 000005
【図４】
2014011760.tif 000006
【図５】
2014011760.tif 000007